(57)【要約】【課題】プラズマディスプレイ装置において、より一層の薄型化を実現できるようにすることを目的とする。【解決手段】電極群を配置した一対の基板を基板間に放電空間が形成されるように対向配置したパネル２０と、このパネル２０に信号を印加して表示を行う駆動回路ブロック２１とを有し、前記パネル２０を金属製で平板形状のシャーシ部材２４の前面側に取り付けて配置するとともに、そのシャーシ部材２４の前面側または背面側のパネル２０が配置される領域以外の部分に、前記駆動回路ブロック２１を取り付けて配置。【選択図】  図２
2004198580.tif 000002
【特許請求の範囲】
【請求項１】
電極群を配置した一対の基板を基板間に放電空間が形成されるように対向配置したパネルと、このパネルに信号を印加して表示を行う駆動回路ブロックとを有し、前記パネルを金属製で平板形状のシャーシ部材の前面側に取り付けて配置するとともに、そのシャーシ部材の前面側または背面側のパネルが配置される領域以外の部分に、前記駆動回路ブロックを取り付けて配置したことを特徴とするプラズマディスプレイ装置。
【請求項２】
シャーシ部材を縦長の平板形状とし、そのシャーシ部材の上方にパネルを配置するとともに、下方に駆動回路ブロックを配置した請求項１に記載のプラズマディスプレイ装置。
【請求項３】
シャーシ部材の下方に、チューナーブロックを配置した請求項２に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
図５にプラズマディスプレイ装置を示しており、図５に示すように、アルミニウム等の熱伝導性を持つシャーシ部材１の前面側にパネル２が配置されるとともに、シャーシ部材１の背面側に駆動回路ユニット３および冷却のための冷却ファン４が配置されることによりパネルモジュールが構成され、このパネルモジュールを前面枠５と後面カバー６によって覆うことにより構成されている。また、このようなプラズマディスプレイ装置７は、図６に示すように、別体の設置台８によって保持されて使用される。なお、その設置台８にはチューナー９などが設置される。
【０００６】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００７】
【特許文献１】
特許第２８０７６７２号公報
【０００８】
【発明が解決しようとする課題】
しかし、この従来のプラズマディスプレイ装置においては、駆動回路やその他部材の小型化、薄型化に限界があり、プラズマディスプレイ装置を、より薄型化する上で支障となっている。
【０００９】
本発明はこのような課題に鑑みなされたもので、より一層の薄型化を実現できるようにすることを目的とするものである。
【００１０】
【課題を解決するための手段】
上記目的を達成するために本発明は、パネルを金属製で平板形状のシャーシ部材の前面側に取り付けて配置するとともに、そのシャーシ部材の前面側または背面側のパネルが配置される領域以外の部分に、前記駆動回路ブロックを取り付けて配置したもので、この構成により、より一層の薄型化を実現することができる。
【００１１】
【発明の実施の形態】
すなわち、本発明の請求項１に記載の発明は、電極群を配置した一対の基板を基板間に放電空間が形成されるように対向配置したパネルと、このパネルに信号を印加して表示を行う駆動回路ブロックとを有し、前記パネルを金属製で平板形状のシャーシ部材の前面側に取り付けて配置するとともに、そのシャーシ部材の前面側または背面側のパネルが配置される領域以外の部分に、前記駆動回路ブロックを取り付けて配置したことを特徴とし、駆動回路ブロックをパネルが配置される領域以外の部分に取り付けて配置したことで、駆動回路ブロックの配置場所がパネルと異なる場所となり、厚さを薄く設計する自由度が増えることとなり、より一層の薄型化を実現できる。また、パネルおよび駆動回路ブロックが配置されるシャーシ部材の面積が大きくなり、これによりパネルから発生する熱を放熱するシャーシ部材の放熱板としての性能が向上するため、冷却ファンをなくすことも可能となり、冷却ファンによる騒音をなくすことができるという効果も得られる。
【００１２】
また、請求項２記載の発明は、請求項１において、シャーシ部材を縦長の平板形状とし、そのシャーシ部材の上方にパネルを配置するとともに、下方に駆動回路ブロックを配置したものである。
【００１３】
また、請求項３記載の発明は、請求項２において、シャーシ部材の下方に、チューナーブロックを配置したもので、テレビ放送を受信するチューナーを容易に駆動回路ブロックとともに一体に配置することができ、設置する形態に応じて、チューナー内蔵タイプのプラズマディスプレイ装置やチューナーを外付けするタイプのプラズマディスプレイ装置に容易に変更することができるため、商品形態のバリエーションを簡単に増やすことができる。勿論、チューナー以外のＤＶＤ装置等の各種映像音響機器も一体に配置可能であり、プラズマディスプレイ装置の商品形態のバリエーションを簡単に増やすことができる。
【００１４】
以下、本発明の一実施の形態によるプラズマディスプレイ装置について、図１〜図４を用いて説明するが、本発明の実施の態様はこれに限定されるものではない。
【００１５】
まず、プラズマディスプレイ装置におけるパネルの構造について図３を用いて説明する。図３に示すように、ガラス基板などの透明な前面側の基板１１上には、スキャン電極とサステイン電極とで対をなすストライプ状の表示電極１２が複数列形成され、そしてその電極群を覆うように誘電体層１３が形成され、その誘電体層１３上には保護膜１４が形成されている。
【００１６】
また、前記前面側の基板１１に対向配置される背面側の基板１５上には、スキャン電極及びサステイン電極の表示電極１２と交差するように、オーバーコート層１６で覆われた複数列のストライプ状のアドレス電極１７が形成されている。
このアドレス電極１７間のオーバーコート層１６上には、アドレス電極１７と平行に複数の隔壁１８が配置され、この隔壁１８間の側面およびオーバーコート層１６の表面に蛍光体層１９が設けられている。
【００１７】
これらの基板１１と基板１５とは、スキャン電極およびサステイン電極の表示電極１２とアドレス電極１７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１８によって複数の区画に仕切ることにより、表示電極１２とアドレス電極１７との交点が位置する複数の放電セルが設けられ、その各放電セルには、赤色、緑色及び青色となるように蛍光体層１９が一色ずつ順次配置されている。
【００１８】
図４にこのパネルの電極配列を示しており、図４に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１９】
このような電極構成のパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２０】
図１には本発明の一実施の形態によるプラズマディスプレイ装置の全体図を示し、図２にその分解図を示している。図１、図２において、２０は図３、図４に示すパネル、２１はこのパネル２０に信号を印加して表示を行う駆動回路ブロック、２２はチューナーブロック、２３はＤＶＤ装置、２４はアルミニウムなどの金属製で縦長の平板形状のシャーシ部材である。このシャーシ部材２４の前面側の上方には、パネル２０が熱伝導部材を介して取り付けられることにより配置され、またシャーシ部材２４の前面側のパネル２０が配置される領域以外の下方部分には、前記駆動回路ブロック２１、チューナーブロック２２およびＤＶＤ装置２３がビスなどで取り付けることにより配置され、これによりディスプレイモジュールが構成されている。
【００２１】
また、このディスプレイモジュールは、パネル２０に対応する部分に透明な窓２５ａを有する金属や樹脂などからなる前面カバー２５と、金属からなる後面カバー２６とによる筐体内に収容されている。２７は前面カバー２５、後面カバー２６に設けた設置足で、これによりプラズマディスプレイ装置を据え置きして使用することができる。さらに、設置足２７は後面カバー２６の後部に設置し、壁掛け可能に形成してもよい。
【００２２】
なおここで、シャーシ部材２４は、左右方向に横長形状としてもよい。また、駆動回路ブロック２１、チューナーブロック２２、ＤＶＤ装置２３は、シャーシ部材２４の背面側に配置してもよい。さらに、ＤＶＤ装置２３以外のＣＤやスピーカー等の各種映像音響機器をシャーシ部材２４に設置してもよい。さらに、シャーシ部材２４を着脱自在な二体構成とし、パネル２０、駆動回路ブロック２１、チューナーブロック２２などを別々のシャーシ部材２４に配置した後、一体化するようにしてもよい。
【００２３】
以上説明したように本実施の形態によれば、駆動回路ブロック２１をシャーシ部材２４のパネル２０が配置される領域以外の部分に取り付けて配置したことで、駆動回路ブロック２１の配置場所がパネル２０と異なる場所となり、厚さを薄く設計する自由度が増えることとなり、より一層の薄型化を実現できる。また、パネル２０および駆動回路ブロック２１が配置されるシャーシ部材２４の面積が大きくなり、これによりパネル２０から発生する熱を放熱するシャーシ部材２４の放熱板としての性能が向上するため、冷却ファンをなくすことも可能となり、冷却ファンによる騒音をなくすことができるという効果も得られる。
【００２４】
【発明の効果】
以上のように本発明によれば、プラズマディスプレイ装置のより一層の薄型化を実現することができるとともに、パネルから発生する熱を放熱するシャーシ部材の放熱板としての性能が向上するため、冷却ファンをなくすことも可能となり、冷却ファンによる騒音をなくすことができるという効果も得られる。
【図面の簡単な説明】
【図１】本発明の一実施の形態によるプラズマディスプレイ装置の全体を示す外観図
【図２】同装置の分解図
【図３】プラズマディスプレイパネルの構成を示す概略斜視図
【図４】同パネルの電極配線図
【図５】従来のプラズマディスプレイ装置の分解図
【図６】同装置の使用状態を示す外観図
【符号の説明】
２０  パネル
２１  駆動回路ブロック
２２  チューナーブロック
２３  ＤＶＤ装置
２４  シャーシ部材
【図１】
2004198580.tif 000003
【図２】
2004198580.tif 000004
【図３】
2004198580.tif 000005
【図４】
2004198580.tif 000006
【図５】
2004198580.tif 000007
【図６】
2004198580.tif 000008